(57)【要約】【課題】従来のチップ内部構造を踏襲することができるとともに、カシメ加工しやすいボールペンチップを提供する。【解決手段】底壁の中央にインキ流通孔、該インキ流通孔から放射状に延びる放射状溝を有するボール抱持室内にボールを挿置し、チップ先端部を内側に塑性変形させるカシメ加工を施し、チップ先端部にカシメ部を形成することにより、ボールの一部をチップ先端部より突出させて回転自在に抱持してなるボールペンチップにおいて、前記チップ先端部の外壁に、チップ先端開口部側が縮径する、少なくとも２つの面からなる段部を形成するとともに、該段部を構成する２つの面の接合部を、前記カシメ部の変曲点とする。【選択図】　　　図１
2004025782.tif 000002
【特許請求の範囲】
【請求項１】
底壁の中央にインキ流通孔、該インキ流通孔から放射状に延びる放射状溝を有するボール抱持室内にボールを挿置し、チップ先端部を内側に塑性変形させるカシメ加工を施し、チップ先端部にカシメ部を形成することにより、ボールの一部をチップ先端部より突出させて回転自在に抱持してなるボールペンチップにおいて、前記チップ先端部の外壁に、少なくとも２つの面からなる段部を形成するとともに、該段部を構成する２つの面の接合部を、前記カシメ部の変曲点としたことを特徴とするボールペンチップ。
【請求項２】
前記段部を構成する２つの面のチップ後端側に位置する面が、前記カシメ部のカシメ角と略同一の角度とすることを特徴とする請求項１に記載のボールペンチップ。
【発明の詳細な説明】
【０００１】
【発明の属する技術分野】
本発明は、チップ先端部を内側に塑性変形させたカシメ部を形成することにより、ボールの一部をチップ先端部より突出させて回転自在に抱持してなるボールペンチップに関する。
【０００２】
【従来の技術】
従来から、底壁の中央にインキ流通孔、該インキ流通孔から放射状に延びる放射状溝を有するボール抱持室内にボールを挿置し、チップ先端部を内側に塑性変形させるカシメ加工を施し、チップ先端部にカシメ部を形成することにより、ボールの一部をチップ先端部より突出させて回転自在に抱持してなるボールペンチップについてよく知られている。
【０００３】
しかしながら、前記したようにカシメ加工はチップ先端部を内側に塑性変形させるため、スプリングバック現象等により、塑性変形量にバラツキが発生する恐れがあった。こうした塑性変形量のバラツキは、塑性変形量が少ないとボールとチップ先端開口部とのクリアランスが大きくなりインキ流出量が多く、泣きボテ等の筆跡不良の原因となったり、ボール保持力が低下するためボール落ちが発生しやすくなり、また、塑性変形量が多いとボールとチップ先端開口部とのクリアランスが小さくなりインキ流出量が少なく、掠れやスキップ等の筆跡不良の原因となる恐れがあった。
【０００４】
こうした問題を考慮し、特開平１１−２６８４６７号「ボールペンチップの製造方法」に、ボール抱持部内壁面先端部を、ボール抱持部先端部内径よりも径の大きな工具でさらい加工して該抱持部内にボールを挿入し、その後カシメ加工具により、カシメ加工をして縮径部を形成することが開示されている。
【０００５】
ところで、チップ構造については、従来からインキ追従性やインキ流出量等、様々な研究がなされいることは言うまでもなく、特に内部構造については、構造が複雑でかつ精密に設定する必要がある。
【０００６】
【発明が解決しようとする課題】
しかしながら、ボール抱持室の内壁面を加工すると、前記したようにインキ追従性等の筆跡への影響が大きいため、カシメ部のみならず、内部構造についての検討が必要であった。さらに、カシメ部の開始位置が設定した位置になっているどうかは外観上から確認することができないため、カシメ部の長さを実測する必要があるという問題があった。
【０００７】
本発明はこれらの従来技術に鑑みてなされたものであって、従来のチップ内部構造を踏襲することができるとともに、カシメ加工しやすいボールペンチップを提供することにある。
【０００８】
【課題を解決するための手段】
本発明は、前記問題を解決するために、底壁の中央にインキ流通孔、該インキ流通孔から放射状に延びる放射状溝を有するボール抱持室内にボールを挿置し、チップ先端部を内側に塑性変形させるカシメ加工を施し、チップ先端部にカシメ部を形成することにより、ボールの一部をチップ先端部より突出させて回転自在に抱持してなるボールペンチップにおいて、前記チップ先端部の外壁に、少なくとも２つの面からなる段部を形成するとともに、該段部を構成する２つの面の接合部を、前記カシメ部の変曲点とする。
【０００９】
また、前記段部を構成する２つの面のチップ後端側に位置する面が、前記カシメ部のカシメ角と略同一の角度とする。
【００１０】
【発明の実施の形態】
図１、２に示す第１の実施の形態のボールペンチップ１は、ボール抱持室２の中央にインキ流通孔５と該インキ流通孔５に連通する放射状に延びた放射状溝６を有した底壁４にボール１１を載置し、カシメ加工具（図示せず）により、チップ先端部７を、チップ外壁の角度γ１より大きな角度（カシメ角α１）で内側に塑性変形させるカシメ加工（α１＞γ１）を施すことにより、チップ先端部７にカシメ部８を形成し、ボール１１の一部がチップ先端部７より突出するように回転自在に抱持してある。
【００１１】
チップ外壁３は、チップ先端開口部２ａに向かって徐々に縮径するテーパー状（角度γ１）に形成するとともに、チップ外壁３に、２つの段部構成面９ａ、９ｂからなる段部９形成する。チップ先端開口部２ａ側が縮径する段部９（９ａ、９ｂ）を形成することにより、チップ先端部７を内側に塑性変形させるカシメ加工する際、段部９を構成する面９ａ、９ｂの接合部１０が変曲点となり、内側へ塑性変形しやすい。また、カシメ部８が、段部９を構成する段部構成面９ａ、９ｂの接合部１０を変曲点として塑性変形するので、カシメ部８の長さＬ１を実測しなくても設定された長さＬ１が得られている外観上から確認することができる。
【００１２】
図３、図４に示す第２の実施の形態のボールペンチップ２１は、チップの外壁２３に形成した段部２９の変形例を示すものでそれ以外は、第１の実施の形態と同様に、ボール抱持室２２の中央にインキ流通孔２５と該インキ流通孔２５に連通する放射状に延びた放射状溝２６を有した底壁２４にボール３１を載置し、カシメ加工具（図示せず）により、チップ先端部２７を、チップ外壁の角度γ２より大きな角度（カシメ角α２）で内側にカシメ加工（α２＞γ２）を施すことにより、チップ先端部２７にカシメ部２８を形成し、ボール３１の一部がチップ先端部２７より突出するように回転自在に抱持してある。
【００１３】
チップ外壁２３は、チップ先端開口部２２ａに向かって徐々に縮径するテーパー状（角度γ２）に形成するとともに、チップ外壁２３に、２つの段部構成面２９ａ、２９ｂからなる段部２９を形成する。チップ先端開口部２２ａ側が縮径する段部２９を形成することにより、チップ先端部２７を内側に塑性変形させるカシメ加工する際、段部２９を構成する段部構成面２９ａ、２９ｂの接合部３０が変曲点となり、内側へ塑性変形しやすい。また、カシメ部２８が、段部２９を構成する段部構成面２９ａ、２９ｂの接合部３０を変曲点として塑性変形するので、カシメ部２８の長さＬ２を実測しなくても設定された長さＬ２が得られている外観上から確認することができる。
【００１４】
本発明における段部の形状は特に限定されるものでないが、段部２９を構成する段部構成面２９ａ、２９ｂのチップ後端側に位置する面２９ｂの角度（β２）を、カシメ角（α２）と略同角の角度（α２≒β２）とすることにより、カシメ部２８のカシメ角α２が設定された角度に形成されているか、チップ後端側の外壁に連接する面２９ｂの角度β２を基準に外観から容易に確認することができる。
【００１５】
本実施の形態では、便宜上、段部を１つしか形成していないが、２段カシメ加工を行う場合は、段部を２つ形成する等、複数形成してもよい。また、段部の形成方法は特に限定されないが、切削加工等により容易に形成することができる。さらに本実施の形態ではボール座を形成しないボールペンチップ形状としてあるが、ボール座を形成したもの等、チップ内部形状に限定されるものでない。またコイルスプリング等によりボールを常にチップ先端の内壁に押圧するものであっても良い。
【００１６】
【発明の効果】
本発明のボールペンチップは、前述したような構造なので、従来のチップ内部構造を踏襲することができるとともに、カシメ加工しやすいボールペンチップを提供することができた。
【図面の簡単な説明】
【図１】第１の実施の形態における、一部省略した要部拡大縦断面図である。
【図２】図１におけるカシメ加工前の状態を示す一部省略した要部拡大縦断面図である。
【図３】第２の実施の形態における、一部省略した要部拡大縦断面図である。
【図４】図３におけるカシメ加工前の状態を示す一部省略した要部拡大縦断面図である。
【符号の説明】
１、２１　ボールペンチップ
２、２２　ボール抱持室
２ａ、２２ａ　チップ先端開口部
３、２３　外壁
４、２４　底壁
５、２５　インキ流通孔
６、２６　インキ流通溝
７、２７　チップ先端部
８、２８　カシメ部
９、２９　段部
９ａ、２９ａ　段部構成面
９ｂ、２９ｂ　段部構成面
１０、３０　接合部（変曲点）
１１、３１　ボール
α１、α２　カシメ角度
β２　チップ後端側の面の角度
γ１、γ２　チップ外壁の角度
【図１】
2004025782.tif 000003
【図２】
2004025782.tif 000004
【図３】
2004025782.tif 000005
【図４】
2004025782.tif 000006